(57)【要約】【課題】強度に優れた二軸延伸ポリアミドフィルムを使用して、しかも、開封を容易とする易カット線を有しているパウチにおいて、前記ポリアミドフィルムの吸湿による易カット線と絵柄との位置ずれが生じ難いパウチを提供すること。【解決手段】包装フィルム１として、外層１１、中間層１２、内層１３をこの順に積層したものを使用すると共に、外層を二軸延伸ポリアミドフィルム１１２とポリエステル層１１１とを積層した積層フィルムで構成し、かつ、ポリエステル層１１１をパウチの外面側に配置し、外層１１を貫通する易カット線ｄを施す。外層１１はポリエステル層を有するため、二軸延伸ポリアミドフィルムの吸湿による伸張が抑制され、易カット線と絵柄との位置ずれが生じない。【選択図】図２
2018012514.tif 000002
【特許請求の範囲】
【請求項１】
表裏の包装フィルムを互いに重ね合わせ周囲でシールして密封した絵柄付きパウチにおいて、
表裏の前記包装フィルムのうち少なくとも一方の包装フィルムが、外層、中間層、内層をこの順に積層した積層構造を有しており、
外層が、二軸延伸ポリアミドフィルムとポリエステル層とを積層した積層フィルムから成り、かつ、ポリエステル層がパウチの外面側に配置されており、
外層を貫通する易カット線が施されている、
ことを特徴とする易開封性パウチ。
【請求項２】
中間層が易カット性フィルムから成ることを特徴とする請求項１に記載の易開封性パウチ。
【請求項３】
中間層が一軸延伸フィルムを基材としていることを特徴とする請求項２に記載の易開封性パウチ。
【請求項４】
中間層の延伸方向が外層の前記易カット線の延在方向に略一致していることを特徴とする請求項３に記載の易開封性パウチ。
【請求項５】
外層に絵柄が施されていることを特徴とする請求項１〜４のいずれかに記載の易開封性パウチ。
【請求項６】
中間層に絵柄が施されていることを特徴とする請求項１〜５のいずれかに記載の易開封性パウチ。
【請求項７】
中間層がガスバリア性を有することを特徴とする請求項１〜６のいずれかに記載の易開封性パウチ。
【請求項８】
表裏の包装フィルムを互いに重ね合わせ周囲でシールして密封した絵柄付きパウチの製造方法であって、表裏の前記包装フィルムのうち少なくとも一方の包装フィルムが、外層、中間層、内層をこの順に積層した積層構造を有している前記パウチの製造方法において、
二軸延伸ポリアミドフィルムとポリエステル層とを積層した積層フィルムから成る外層を準備し、この外層に絵柄を設けると共に、この外層を貫通する易カット線とを設ける工程と、
絵柄及び易カット線を有する外層に中間層及び内層を積層して、前記ポリエステル層が外側に位置する包装フィルムを製造する工程と、
この包装フィルムを使用し、周囲でシールし密封してパウチを製造する工程と、
を有することを特徴とする易開封性パウチの製造方法。
【請求項９】
表裏の包装フィルムを互いに重ね合わせ周囲でシールして密封した絵柄付きパウチの製造方法であって、表裏の前記包装フィルムのうち少なくとも一方の包装フィルムが、外層、中間層、内層をこの順に積層した積層構造を有している前記パウチの製造方法において、
二軸延伸ポリアミドフィルムとポリエステル層とを積層した積層フィルムから成る外層を準備し、この外層を貫通する易カット線とを設ける工程と、
中間層に絵柄を設ける工程と、
易カット線を有する外層に絵柄を有する中間層及び内層を積層して、前記ポリエステル層が外側に位置する包装フィルムを製造する工程と、
この包装フィルムを使用し、周囲でシールし密封してパウチを製造する工程と、
を有することを特徴とする易開封性パウチの製造方法。
【発明の詳細な説明】
【技術分野】
【０００１】
本発明は、二軸延伸ポリアミドフィルムを使用したパウチとその製造方法に関する。
【背景技術】
【０００２】
二軸延伸ポリアミドフィルムはさまざまな機械的性質と物理的性質とを有している。例えば、機械的強度や耐熱性が高いことである。また、二軸延伸ポリアミドフィルムは吸湿し易く、吸湿によって伸張する性質を有している。
【０００３】
このように二軸延伸ポリアミドフィルムは機械的強度と耐熱性とに優れることから、二軸延伸ポリアミドフィルムを層構成中に含むフィルムを使用してパウチを製袋すると、機械的強度と耐熱性とに優れるパウチを得ることができる。しかしながら、同じ理由から、このパウチは容易に引裂くことができず、開封性に劣ったものとなる。また、二軸延伸ポリアミドフィルムは吸湿性が高く、吸湿によって伸張するから、パウチの外層に使用することが困難である。
【０００４】
特許文献１は、二軸延伸ポリアミドフィルムを使用して、しかも、このような欠点を解消するため、図４に示すようなパウチを開示している。このパウチＡ’は、表裏の包装フィルム１’を互いに重ね合わせ周囲のシール線ａ’でシールして密封したパウチである。
【０００５】
そして、これら表裏の包装フィルム１’は、図５の分解断面図に示すように、外層１１’、中間層１２’、内層１３’を積層した多層構造を有している。二軸延伸ポリアミドフィルムは中間層１２’を構成しており、その外側に配置された外層１１’は防湿性のプラスチックフィルムである。このため、中間層１２’を構成する二軸延伸ポリアミドフィルムは、パウチＡ’の外部の湿気から保護されている。なお、外層１１’には印刷絵柄ｄ’が施されている。また、内層１３’は製袋のためのシーラント層である。
【０００６】
また、パウチＡ‘は、その端部にノッチｂ’が設けられており、このノッチｂ’に連続して、中間層１２’の二軸延伸ポリアミドフィルムを貫通するミシン目ｃ’が設けられている。このように中間層１２’の二軸延伸ポリアミドフィルムを貫通するミシン目ｃ’が設けられているため、このミシン目ｃ’の部分でパウチＡ’は脆弱化されており、ノッチｂ’からパウチＡ’を引裂くことにより、容易に開封することができる。なお、図示のように、外層１１’の印刷絵柄ｄ’のうち、引裂き案内表示はミシン目ｃ’の近傍に位置している必要がある。
【先行技術文献】
【特許文献】
【０００７】
【特許文献１】実開昭６３−９４１６６号公報
【発明の概要】
【発明が解決しようとする課題】
【０００８】
ところで、この包装フィルム１’を製造する際には、印刷絵柄ｄ’が施された外層１１’のフィルムと、ミシン目ｃ’が施された中間層１２’とを積層する必要がある。そして、この積層工程においては、外層１１’の印刷絵柄ｄ’と中間層１２’のミシン目ｃ’とを正確に位置合わせする必要がある。例えば、図示のように印刷絵柄ｄ’が引裂き案内表示を含む場合には、この引裂き案内表示とミシン目ｃ’とはごく近い位置に配置される必要がある。
【０００９】
しかしながら、前述のように、中間層１２’を構成する二軸延伸ポリアミドフィルムは吸湿性が高く、この吸湿によって伸張するため、防湿性で伸縮しない外層１１’と位置合わせすることは困難であった。
【００１０】
本発明はこのような事情に基づいてなされたもので、強度に優れた二軸延伸ポリアミドフィルムを使用して、しかも、開封を容易とする易カット線を有しているパウチにおいて、この易カット線と絵柄との位置ずれが生じ難いパウチとその製造方法を提供することを目的とする。
【課題を解決するための手段】
【００１１】
すなわち、請求項１に記載の発明は、表裏の包装フィルムを互いに重ね合わせ周囲でシールして密封した絵柄付きパウチにおいて、
表裏の前記包装フィルムのうち少なくとも一方の包装フィルムが、外層、中間層、内層をこの順に積層した積層構造を有しており、
外層が、二軸延伸ポリアミドフィルムとポリエステル層とを積層した積層フィルムから成り、かつ、ポリエステル層がパウチの外面側に配置されており、
外層を貫通する易カット線が施されている、
ことを特徴とする易開封性パウチである。
【００１２】
次に、請求項２に記載の発明は、中間層が易カット性フィルムから成ることを特徴とする請求項１に記載の易開封性パウチである。
【００１３】
また、請求項３に記載の発明は、中間層が一軸延伸フィルムを基材としていることを特徴とする請求項２に記載の易開封性パウチである。
【００１４】
また、請求項４に記載の発明は、中間層の延伸方向が外層の前記易カット線の延在方向に略一致していることを特徴とする請求項３に記載の易開封性パウチである。
【００１５】
また、請求項５に記載の発明は、外層に絵柄が施されていることを特徴とする請求項１〜４のいずれかに記載の易開封性パウチである。
【００１６】
また、請求項６に記載の発明は、中間層に絵柄が施されていることを特徴とする請求項１〜５のいずれかに記載の易開封性パウチである。
【００１７】
また、請求項７に記載の発明は、中間層がガスバリア性を有することを特徴とする請求項１〜６のいずれかに記載の易開封性パウチである。
【００１８】
また、請求項８に記載の発明は、表裏の包装フィルムを互いに重ね合わせ周囲でシールして密封した絵柄付きパウチの製造方法であって、表裏の前記包装フィルムのうち少なくとも一方の包装フィルムが、外層、中間層、内層をこの順に積層した積層構造を有している前記パウチの製造方法において、
二軸延伸ポリアミドフィルムとポリエステル層とを積層した積層フィルムから成る外層を準備し、この外層に絵柄を設けると共に、この外層を貫通する易カット線とを設ける工程と、
絵柄及び易カット線を有する外層に中間層及び内層を積層して、前記ポリエステル層が外側に位置する包装フィルムを製造する工程と、
この包装フィルムを使用し、周囲でシールし密封してパウチを製造する工程と、
を有することを特徴とする易開封性パウチの製造方法である。
【００１９】
また、請求項９に記載の発明は、表裏の包装フィルムを互いに重ね合わせ周囲でシール
して密封した絵柄付きパウチの製造方法であって、表裏の前記包装フィルムのうち少なくとも一方の包装フィルムが、外層、中間層、内層をこの順に積層した積層構造を有している前記パウチの製造方法において、
二軸延伸ポリアミドフィルムとポリエステル層とを積層した積層フィルムから成る外層を準備し、この外層を貫通する易カット線とを設ける工程と、
中間層に絵柄を設ける工程と、
易カット線を有する外層に絵柄を有する中間層及び内層を積層して、前記ポリエステル層が外側に位置する包装フィルムを製造する工程と、
この包装フィルムを使用し、周囲でシールし密封してパウチを製造する工程と、
を有することを特徴とする易開封性パウチの製造方法である。
【発明の効果】
【００２０】
本発明のパウチは、外層として二軸延伸ポリアミドフィルムとポリエステル層とを積層した積層フィルムを使用しており、この積層フィルムはポリエステル層を有するため、二軸延伸ポリアミドフィルムの吸湿による伸張が抑制される。印刷絵柄は外層と中間層のいずれに施されてもよいが、外層に印刷絵柄を施す場合であっても、吸湿によって伸張し難い外層の積層フィルムに易カット線と印刷絵柄の両者を施すため、これら易カット線と印刷絵柄との位置ズレが生じることはない。また、中間層に印刷絵柄を施す場合であっても、易カット線を形成した外層の積層フィルムは伸張し難いから、この外層と中間層との積層に当って易カット線と印刷絵柄との位置ズレが生じることはない。
【００２１】
なお、外層のポリエステル層がパウチ外面側に配置されているため、二軸延伸ポリアミドフィルムは、パウチ外部の湿気から保護されている。
【図面の簡単な説明】
【００２２】
【図１】図１は本発明のパウチの具体例を示す正面図である。
【図２】図２は本発明のパウチに係る包装フィルムの具体例を示す分解断面図である。
【図３】図３は本発明のパウチに係る包装フィルムの別の具体例を示す分解断面図である。
【図４】図４は従来のパウチの例を示す正面図である。
【図５】図５は従来のパウチに係る包装フィルムの具体例を示す分解断面図である。
【発明を実施するための形態】
【００２３】
次に、図面を参照して本発明の具体例を説明する。まず、図１は本発明のパウチの具体例を示す正面図である。このパウチＡは、表裏の包装フィルム１を互いに重ね合わせ周囲のシール線ａでシールして密封することによって構成されている。
【００２４】
パウチＡの端部には、開封用のノッチｂが設けられている。この例ではＶノッチが設けられているが、Ｉノッチその他のノッチでもよい。また、微細な傷加工を設けて開封開始部としてもよい。
【００２５】
そして、このノッチｂに連続して、易カット線ｃが、パウチＡを横断するように設けられている。この易カット線ｃは表側の包装フィルムと裏側の包装フィルムの両方に、位置合わせして配置されている。なお、この例では、「ハ」の字形状の切れ目を連続して配置することにより、この切れ目の全体で易カット線ｃを構成しているが、もちろん、これに限られるものではなく、直線状かつ実線状の切れ目、あるいは直線状かつミシン目状の切れ目で易カット線ｃを構成してもよい。なお、後述するように、この易カット線ｃは、包装フィルム１の外層１１を貫通するものである。
【００２６】
そして、このパウチＡには、絵柄ｄが施されている。絵柄ｄは、文字、記号、装飾用の
絵柄等で構成されるが、図１では、その代表例として、引裂き案内表示を構成する文字列を図示している。もちろん、この引裂き案内表示は易カット線ｃの近傍に配置されている。
【００２７】
絵柄ｄはグラビア印刷等の印刷によって形成されたものでよい。また、箔押しや金属蒸着等によって絵柄の一部又は全部を形成することもできる。
【００２８】
次に、これら表裏の包装フィルムのうち、少なくとも一方の包装フィルム１は、図２の分解断面図に示すように、外層１１、中間層１２、内層１３をこの順に積層した積層構造を有している必要がある。他方の包装フィルムは任意の材質で構成されたフィルムでよいが、表裏の包装フィルム１，２の両方がこの積層フィルムで構成されていることが望ましい。
【００２９】
この積層フィルムを構成する各層のうち、外層１１は、二軸延伸ポリアミドフィルム１１２とポリエステル層１１１とを積層した積層フィルムで構成されている。なお、ポリエステル層１１１がパウチＡ外面側に配置されている。そして、この外層１１には、外層１１全体を貫通する前記易カット線ｃが設けられている。
【００３０】
なお、ポリエステル層１１１は耐熱性に優れるため、このように外面側にポリエステル層１１１を配置したパウチＡは、レトルト殺菌用のパウチやボイル殺菌用のパウチとしても使用できる。
【００３１】
次に、前述のとおり、絵柄ｄは外層１１又は中間層１２のどちらか一方に設ければよいが、この例では、外層１１のパウチＡ内面側、すなわち、二軸延伸ポリアミドフィルム１１２の上に設けられている。外層１１のパウチＡ外面側、すなわち、ポリエステル層１１１の上に絵柄ｄを設けることもできるが、絵柄の汚染や損耗を防止するため、パウチＡ製造後に印刷する製造年月日等を除き、内面側に絵柄ｄを設けることが望ましい。
【００３２】
次に、中間層１２としては易カット性フィルムを使用することができる。この易カット性フィルムとしては、一軸延伸フィルムを基材とするフィルムを好ましく使用することができる。一軸延伸フィルムをそのまま中間層１２としてもよいし、この一軸延伸フィルムの上に、易カット性を損なうことのない層を積層して中間層１２としてもよい。このような層としては、金属や無機物の蒸着膜を例示できる。なお、中間層１２が金属蒸着膜や無機物蒸着膜をその層構成中に含む場合、パウチＡのガスバリア性を高めて、内容物の保存性を向上させることが可能である。なお、一軸延伸フィルムとしては、一軸延伸ポリエステルフィルムや一軸延伸ポリプロピレンフィルムを例示することができる。
【００３３】
中間層１２として、一軸延伸フィルムを基材とするフィルムを使用する場合には、その延伸方向が外層の前記易カット線ｃの延在方向に略一致するように外層１１と中間層１２とを積層することが望ましい。一軸延伸フィルムはその延伸方向に沿って容易にカットできるから、その延伸方向と易カット線ｃの延在方向とが一致している場合には、パウチＡをこの易カット線ｃに沿って容易に引裂くことができる。
【００３４】
次に、内層１３は、パウチＡを製袋する際のシーラント層として機能する層である。このようなシーラント層は公知であり、例えば、低密度ポリエチレン、直鎖状低密度ポリエチレン、ポリプロピレン等の樹脂で内層１３を構成することができる。
【００３５】
このパウチＡは、次のように製造することができる。すなわち、まず、各層１１，１２，１３を構成するフィルムを準備する。次に、外層１１を構成するフィルムに絵柄ｄを形成すると共に易カット線ｃを形成する。絵柄ｄの形成と易カット線ｃの形成とは先後を問わないが、まず絵柄ｄを形成し、次に易カット線ｃを形成することが望ましい。絵柄ｄの検出は容易なので、検出した絵柄ｄを基準として易カット線ｃを形成することにより、両者の位置合わせを行うことができるからである。
【００３６】
次に、この外層１１を構成するフィルムと、中間層１２を構成するフィルム、及び内層１３を構成する樹脂の三者を積層して包装フィルム１を製造する。積層の順序は任意である。すなわち、まず外層１１と中間層１２とを積層し、次に内層１３を積層してもよい。また、中間層１２と内層１３とを積層した後、外層１１を積層してもよい。
【００３７】
そして、こうして得られた包装フィルム１をパウチＡの表側のフィルム、裏側のフィルム、あるいはその両者として使用して、両者を重ね合わせ、周囲のシール線ａでシールして密封することにより、この例のパウチＡを製造することができる。
【００３８】
こうして製造されたパウチＡは、機械的強度の高い二軸延伸ポリアミドフィルム１１２をその層構成中に含んでいるため、高強度のパウチであるにも拘わらず、ノッチｂをきっかけとして易カット線ｃで容易に引裂いて開封することができる。また、この二軸延伸ポリアミドフィルム１１２の外面側にポリエステル層１１１が配置されているから、外部の水分から保護されており、レトルト殺菌やボイル殺菌にも耐える。しかも、易カット線ｃと絵柄ｄとの位置ズレが生じ難いため、例えば、引裂き案内表示は易カット線ｃの近傍に配置して、易カット線ｃの位置を明瞭に表示することが可能である。
【００３９】
以上、絵柄ｄを外層１１に設けたパウチＡを例として本発明を説明したが、前述のとおり、絵柄ｄを中間層１２に設けることも可能である。図３は、このように絵柄ｄを中間層１２に設けた包装フィルム１を示す分解断面図である。そして、この例では、絵柄ｄは中間層１２の外層１１側に配置されている。
【００４０】
このパウチは次のように製造することができる。すなわち、まず、各層１１，１２，１３を構成するフィルムを準備する。次に、中間層１２を構成するフィルムに絵柄ｄを形成すると共に外層１１を構成するフィルムに易カット線ｃを形成する。
【００４１】
次に、この外層１１を構成するフィルムと、中間層１２を構成するフィルム、及び内層１３を構成する樹脂の三者を積層して包装フィルム１を製造する。積層の順序は任意であってよいが、中間層１２と外層１１とは互いに位置合わせして積層する必要がある。外層１１を構成するフィルムは、その層構成中に二軸延伸ポリアミドフィルム１１２を含んでいるが、この二軸延伸ポリアミドフィルム１１２はポリエステル層１１１と一体的に積層されているため、吸湿によって伸張することはない。このため、両者の位置合わせは容易であり、また、正確に位置合わせすることができる。
【００４２】
そして、こうして得られた包装フィルム１を使用してパウチを製造することができる。このパウチも、高強度かつ耐水性でレトルト殺菌やボイル殺菌に適用することができ、しかも、開封容易であり、易カット線ｃと絵柄ｄとを両者の間の位置ズレを生じることなく、正確に表示したものである。
【符号の説明】
【００４３】
Ａ：易開封性パウチ
１：包装フィルム
１１：外層    １１１：外層    １１２：二軸延伸ポリアミドフィルム
１２：中間層
１３：内層
ａ：シール線    ｂ：ノッチ    ｃ：易カット線    ｄ：絵柄
【図１】
2018012514.tif 000003
【図２】
2018012514.tif 000004
【図３】
2018012514.tif 000005
【図４】
2018012514.tif 000006
【図５】
2018012514.tif 000007